(57)【要約】【課題】デジタルフォトフレーム等の画像表示装置に対して、自動的に、当該画像表示装置の位置に対応した広告を表示する。【解決手段】広告配信装置と画像表示装置とを備えた広告配信システムが提供される。広告配信装置は、画像表示装置の装置識別子と、位置情報とを対応付けて格納する画像表示装置情報格納手段と、配信エリア情報と広告情報とを対応付けて格納する広告情報格納手段と、前記画像表示装置情報格納手段に格納されている位置情報に該当する配信エリア情報を前記広告情報格納手段から検出し、当該検出された配信エリア情報に対応する広告情報を前記広告情報格納手段から取得し、当該広告情報を、前記位置情報に対応する画像表示装置に送信する広告情報配信手段と、を備える。前記位置情報に対応する前記画像表示装置は、前記広告情報配信手段により送信された前記広告情報を、前記通信ネットワークを介して受信し、表示する。【選択図】図３
2011247914.tif 000002
【特許請求の範囲】
【請求項１】
通信ネットワークに接続された広告配信装置と、前記通信ネットワークを介して前記広告配信装置と通信可能な画像表示装置とを備えた広告配信システムであって、
前記広告配信装置は、
画像表示装置の装置識別子と、当該画像表示装置の位置情報とを対応付けて格納する画像表示装置情報格納手段と、
配信エリア情報と広告情報とを対応付けて格納する広告情報格納手段と、
前記画像表示装置情報格納手段に格納されている位置情報に該当する配信エリア情報を前記広告情報格納手段から検出し、当該検出された配信エリア情報に対応する広告情報を前記広告情報格納手段から取得し、当該広告情報を、前記位置情報に対応する画像表示装置に送信する広告情報配信手段と、を備え、
前記位置情報に対応する前記画像表示装置は、前記広告情報配信手段により送信された前記広告情報を、前記通信ネットワークを介して受信し、表示する
ことを特徴とする広告配信システム。
【請求項２】
前記広告配信装置は、前記画像表示装置の装置識別子と位置情報とを当該画像表示装置から前記通信ネットワークを介して受信し、受信した装置識別子と位置情報とを前記画像表示装置情報格納手段に格納する
ことを特徴とする請求項１に記載の広告配信システム。
【請求項３】
前記広告配信システムは、更に、前記通信ネットワークに接続された画像処理装置を備え、
前記画像処理装置は、
前記通信ネットワークに接続された端末装置から、前記画像表示装置を宛先として送信されたデジタル写真を受信し、当該デジタル写真を前記画像表示装置に送信するとともに、前記画像表示装置の装置識別子と前記デジタル写真とをデータ格納手段に格納する写真転送手段と、
前記データ格納手段に格納された前記デジタル写真に対して画像解析を行い、当該デジタル写真に対応するキーワードを取得し、当該キーワードを、前記画像表示装置の装置識別子とともに前記広告配信装置に送信する画像解析手段と、を備え、
前記広告配信装置は、前記キーワードを、前記画像表示装置の装置識別子に対応付けて前記画像表示装置情報格納手段に格納し、
前記広告情報配信手段は、前記キーワードに対応する広告情報を、前記画像表示装置に送信する
ことを特徴とする請求項１又は２に記載の広告配信システム。
【請求項４】
前記画像表示装置は、通信機能付きのデジタルフォトフレームであることを特徴とする請求項１ないし３のうちいずれか１項に記載の広告配信システム。
【請求項５】
通信ネットワークに接続された広告配信装置と、前記通信ネットワークを介して前記広告配信装置と通信可能な画像表示装置とを備えた広告配信システムにおける広告配信方法であって、
前記広告配信装置は、画像表示装置の装置識別子と、当該画像表示装置の位置情報とを対応付けて格納する画像表示装置情報格納手段と、配信エリア情報と広告情報とを対応付けて格納する広告情報格納手段と、を備えており、
前記広告配信装置が、前記画像表示装置情報格納手段に格納されている位置情報に該当する配信エリア情報を前記広告情報格納手段から検出し、当該検出された配信エリア情報に対応する広告情報を前記広告情報格納手段から取得し、当該広告情報を、前記位置情報に対応する画像表示装置に送信する広告配信ステップと、
前記位置情報に対応する前記画像表示装置が、前記広告配信装置により送信された前記広告情報を、前記通信ネットワークを介して受信し、表示する広告情報表示ステップと、
を有することを特徴とする広告配信方法。
【発明の詳細な説明】
【技術分野】
【０００１】
本発明は、デジタルフォトフレーム等の画像表示装置上に、当該画像表示装置の位置に対応した広告を表示させる技術に関するものである。
【背景技術】
【０００２】
近年、携帯電話網を利用した通信が可能な通信機能を搭載したデジタルフォトフレームが提供されてきている。
【０００３】
このようなデジタルフォトフレームを利用した通信サービスとして、例えば、携帯電話機やPC端末から送信された写真をデジタルフォトフレームに表示するサービスがある。このようなサービスでは、携帯電話機やPC端末においてデジタルフォトフレームのアドレスを指定し、当該アドレスに向けて写真画像を送信する。そして、送信された写真画像は、ネットワーク上のサーバに送信され、サーバからデジタルフォトフレームに送信され、表示される。
【先行技術文献】
【特許文献】
【０００４】
【特許文献１】特開2003-91675号公報
【特許文献２】特開2009-181210号公報
【発明の概要】
【発明が解決しようとする課題】
【０００５】
さて、従来から、新聞折込チラシとして、もしくはポスティング等により、自宅近隣の店舗等の広告の配布が行われている。しかし、このような広告配布方法では、新聞を取らない家庭では新聞折込チラシを受け取ることができず、自宅周辺の情報を得る機会が減る。また、紙資源利用の増加の原因となる。
【０００６】
上記の問題を解決するために、例えば、「背景技術」で説明した従来技術を利用して、通信機能を有するデジタルフォトフレームに広告を表示することが考えられる。しかし、上記従来技術を用いる場合、広告画像の送信者が、何らかの方法でデジタルフォトフレームの位置を把握し、位置に対応した広告画像を当該デジタルフォトフレームに送信する必要があり、非常に手間がかかってしまう。
【０００７】
本発明は、上記の点に鑑みてなされたものであり、通信機能を有するデジタルフォトフレーム等の画像表示装置に対して、自動的に、当該画像表示装置の位置に対応した広告を表示するための技術を提供することを目的とする。
【課題を解決するための手段】
【０００８】
上記の課題を解決するために、本発明は、通信ネットワークに接続された広告配信装置と、前記通信ネットワークを介して前記広告配信装置と通信可能な画像表示装置とを備えた広告配信システムであって、前記広告配信装置は、画像表示装置の装置識別子と、当該画像表示装置の位置情報とを対応付けて格納する画像表示装置情報格納手段と、配信エリア情報と広告情報とを対応付けて格納する広告情報格納手段と、前記画像表示装置情報格納手段に格納されている位置情報に該当する配信エリア情報を前記広告情報格納手段から検出し、当該検出された配信エリア情報に対応する広告情報を前記広告情報格納手段から取得し、当該広告情報を、前記位置情報に対応する画像表示装置に送信する広告情報配信手段と、を備え、前記位置情報に対応する前記画像表示装置は、前記広告情報配信手段により送信された前記広告情報を、前記通信ネットワークを介して受信し、表示することを特徴とする広告配信システムとして構成される。
【発明の効果】
【０００９】
本発明によれば、通信機能を有するデジタルフォトフレーム等の画像表示装置に対して、自動的に、当該画像表示装置の位置に対応した広告を表示することが可能となる。
【図面の簡単な説明】
【００１０】
【図１】本発明の実施の形態に係るシステムの全体構成図である。
【図２】画像表示装置１０の機能構成図である。
【図３】広告配信装置２０の機能構成図である。
【図４】画像表示装置情報格納部２４に格納される情報の一例を示す図である。
【図５】広告情報格納部２５に格納される情報の一例を示す図である。
【図６】本発明の実施の形態に係る広告配信システムの動作を説明するためのシーケンスチャートである。
【図７】本発明の実施の形態に係る広告配信システムの動作を説明するためのシーケンスチャートである。
【図８】本発明の実施の形態に係る広告配信システムの動作を説明するためのシーケンスチャートである。
【図９】変形例１の第１の例において画像表示装置情報格納部２４に格納される情報の例を示す図である。
【図１０】変形例１の第１の例において広告情報格納部２５に格納される情報の例を示す図である。
【図１１】変形例１の第２の例において広告情報格納部２５に格納される情報の例を示す図である。
【図１２】変形例１の第３の例において画像表示装置情報格納部２４に格納される情報の例を示す図である。
【図１３】変形例１の第３の例において広告情報格納部２５に格納される情報の例を示す図である。
【図１４】変形例２における画像表示装置１０の機能構成図である。
【図１５】変形例３におけるシステム構成図である。
【図１６】画像処理装置３０の機能構成図である。
【図１７】変形例３における広告配信システムの動作を説明するためのシーケンスチャートである。
【図１８】変形例３において画像表示装置情報格納部２４に格納される情報の例を示す図である。
【図１９】変形例３において広告情報格納部２５に格納される情報の例を示す図である。
【図２０】変形例４において画像表示装置１０に表示される画面例を示す図である。
【図２１】変形例４において画像表示装置情報格納部２４に格納される情報の例を示す図である。
【図２２】変形例５において画像表示装置１０に表示される画面例を示す図である。
【図２３】変形例５において画像表示装置情報格納部２４に格納される情報の例を示す図である。
【発明を実施するための形態】
【００１１】
以下、図面を参照して本発明の実施の形態を説明する。
【００１２】
（システム構成）
図１に、本発明の実施の形態に係る広告配信システムを含むシステムの全体構成図を示す。本実施の形態に係る広告配信システムは、画像表示装置１０と広告配信装置２０とを備え、これらが通信ネットワーク５を介して接続されて構成されている。
【００１３】
本実施の形態に係る通信ネットワーク５は、携帯電話網とインターネットとが接続されたネットワークであり、図１には、携帯電話網を構成する主要な装置として、基地局１、基地局制御装置２、及び交換機３が示されている。広告配信装置２０は、通信ネットワーク５を構成するインターネットに接続されている。また、画像表示装置１０は、基地局と無線通信を行う。
【００１４】
本実施の形態では、画像表示装置１０として、携帯電話網を介した通信を行う通信機能を備えたデジタルフォトフレームを用いることを想定している。ただし、本発明の実施にあたって使用する画像表示装置１０は、デジタルフォトフレームに限られるわけではなく、携帯電話網を介した通信を行う通信機能及び画像表示機能を有する端末装置であれば、どのような装置を用いてもよい。
【００１５】
ただし、画像を表示するためのディスプレイのサイズは、ある程度大きいほうが望ましい。例えば、A6サイズのポップ画像をそのまま表示できる７インチ以上のディスプレイサイズを有する装置を用いることが望ましい。
【００１６】
図２に、画像表示装置１０の機能構成図を示す。図２に示すように、画像表示装置１０は、通信機能部１１、データ格納部１２、表示制御部１３、及び表示部１４を有する。通信機能部１１は、通信ネットワーク５を介して通信を行うための機能部である。データ格納部１２は、通信機能部１１により受信した広告情報等を格納する。表示部１４は、いわゆるディスプレイであり、種々の画像情報を表示する。表示制御部１３は、データ格納部１２から広告情報を読み出し、当該広告情報を表示部１４に表示する機能部である。表示制御部１３は、広告情報を表示部１４に表示するにあたり、指定された時刻に表示したり、スライドショーを行ったり等、様々な表示制御を行うことができる。
【００１７】
図３に、広告配信装置２０の機能構成図を示す。図３に示すように、広告配信装置２０は、データ送受信部２１、画像表示装置情報取得部２２、広告情報配信部２３、画像表示装置情報格納部２４、及び広告情報格納部２５を備える。
【００１８】
データ送受信部２１は、通信ネットワーク５を介してデータの送受信を行う機能部である。画像表示装置情報取得部２２は、画像表示装置１０の装置識別子と位置情報とを画像表示装置１０から通信ネットワーク５を介して取得し、画像表示装置情報格納部２４に格納する機能部である。広告情報配信部２５は、画像表示装置情報格納部２４に格納されている画像表示装置１０の位置情報に対応する配信エリアの広告情報を広告情報格納部２５から読み出し、当該広告情報を、通信ネットワーク５を介して画像表示装置１０に送信する機能部である。
【００１９】
図４に、画像表示装置情報格納部２４に格納される情報の一例を示す。図４に示すように、画像表示装置情報格納部２４には、装置識別子と、位置情報とが対応付けられたテーブル情報が格納される。装置識別子は、各画像表示装置を一意に特定できる識別情報であり、例えば、電話番号（携帯電話網での電話番号）、メールアドレス、装置製造番号等である。位置情報は、本例では、画像表示装置が属する基地局の位置を表す緯度・経度である。
【００２０】
なお、本実施の形態において、広告配信装置２０から送出される広告情報には装置識別子が付加されており、通信ネットワーク５は、当該装置識別子に基づき、当該装置識別子で特定される画像表示装置１０に当該広告情報を届ける機能を有している。なお、装置識別子に基づき、当該装置識別子で特定される装置に情報を届ける技術自体は既存技術である。
【００２１】
図５に、広告情報格納部２５に格納される情報の一例を示す。図５に示すように、本例での広告情報格納部２５には、配信エリア情報、広告配信元識別情報、及び広告情報が対応付けられたテーブル情報が格納される。これらの情報は、広告配信装置２０の管理者等により予め格納される情報である。また、広告提供者のPC端末から通信ネットワーク５を介して広告情報装置２０にアクセスし、広告提供者がPC端末を用いて広告情報格納部２５に各情報を格納するようにしてもよい。
【００２２】
配信エリア情報は、本例では、該当広告情報を配信するエリア名（地名、住所等）である。
【００２３】
広告配信元識別情報は、広告の配信元の識別情報（店名等）である。本例では、この情報は、広告配信にあたって必ずしも必要ではない。本例における広告情報は、広告画像である。この画像が、画像表示装置１０の表示部１４に表示される。
【００２４】
広告配信装置２０は、例えば、ＣＰＵやメモリ、ハードディスク等を備えた一般的なコンピュータに、各機能部に対応するプログラムを実行させることにより実現可能である。当該プログラムは、可搬メモリ等のコンピュータ読み取り可能な記録媒体に記録して配布してもよいし、ネットワーク上のサーバからダウンロードすることもできる。
【００２５】
広告配信装置２０は、１つのコンピュータで実現してもよいし、複数のコンピュータを、通信ネットワークを介して接続することにより実現してもよい。例えば、画像表示装置情報格納部２４、及び広告情報格納部２５のうちの１つ又は両方を外部のデータベースサーバ装置として構成することは、広告配信装置２０を複数のコンピュータで実現する場合の一例である。
【００２６】
（システムの動作）
次に、図６〜８を参照して、本発明の実施の形態に係る広告配信システムの動作を説明する。
【００２７】
まず、図６を参照して、広告配信装置２０が、画像表示装置１０の位置情報等を取得し、画像表示装置情報格納部２４に格納する処理の例について説明する。
【００２８】
画像表示装置１０の電源がONにされ、画像表示装置１０が起動すると、画像表示装置１０の通信機能部１１は、起動したことを通知するための起動通知を送出する（ステップ１）。起動通知を受信した基地局１は、起動通知に基地局情報（基地局を識別するための基地局番号等）を付加し、基地局情報が付加された起動通知を基地局制御装置２に送信する（ステップ２）。
【００２９】
基地局制御装置２は、基地局情報と、基地局の位置情報（緯度・経度）とを対応付けて保持している。基地局情報が付加された起動通知を受信した基地局制御装置２は、基地局情報に基づいて、基地局の位置情報を取得し、当該位置情報を起動通知とともに交換機３に送信する（ステップ３）。
【００３０】
そして、交換機３は、起動完了通知と位置情報とを送信し（ステップ４）、これらの情報は、基地局制御装置２及び基地局１を経由して画像表示装置に送られる（ステップ５、６）。これにより、画像表示装置１０は、位置情報を取得する（ステップ６）。なお、この位置情報は、画像表示装置１０が属する基地局１の位置を示す位置情報であるが、この位置情報により、画像表示装置１０のおおよその位置を判別できるので、この位置情報を画像表示装置１０の位置情報として用いることにより、本発明の技術に係る広告配信を実現できる。
【００３１】
ステップ７において位置情報を取得した画像表示装置１０は、通信機能部１１の機能により、装置識別子と位置情報とを広告配信装置２０に向けて送信する（ステップ８）。そして、広告配信装置２０は、装置識別子と位置情報を受信する（ステップ９〜１１）。
【００３２】
広告配信装置２０において、画像表示装置情報取得部２２が装置識別子と位置情報を取得し、これらを画像表示装置情報格納部２４に格納する（ステップ１２）。なお、既に当該装置識別子に対応付けて位置情報が格納されていた場合には、位置情報を上書きしてよい。画像表示装置情報格納部２４への情報の格納を完了した広告配信装置２０は、位置情報登録完了通知を画像表示装置１０に送信する（ステップ１３〜１６）。これにより、画像表示装置１０は、位置情報の登録が完了したことを把握できる。
【００３３】
次に、図７のシーケンスチャートを参照して、広告配信装置２０による広告配信のための動作を説明する。なお、広告配信装置２０は、以下で説明する動作を一定時間間隔で実行することとしてもよいし、画像表示装置情報格納部２４と広告情報格納部２５のうちのいずれかの格納情報に変化（情報追加等）がある度に行うことしてもよい。また、画像表示装置毎に配信時刻を設定しておき、配信時刻になった場合に、該当の画像表示装置に対して、広告情報を送信するための処理を行うこととしてもよい。
【００３４】
まず、広告情報配信部２３は、画像表示装置情報格納部２４における１つのレコードから装置識別子と位置情報を取得する（ステップ２１）。そして、広告情報配信部２３は、取得した位置情報（対象としている画像表示装置の位置を示す）と、広告情報格納部２５における各配信エリア情報との照合を行うことにより、当該位置情報が示す位置を範囲として含む配信エリア情報を検索する（ステップ２２）。
【００３５】
ここでの処理では、例えば、広告情報配信部２３が、エリア名（地名、地域名、住所等）で表現されている配信エリア情報を取得し、地図情報を管理している地図サーバ等に通信ネットワーク５を介してアクセスし、当該エリア名に該当する代表的な地点の位置（緯度・経度）を取得し、その位置を中心とする予め定めた長さの半径の円の範囲内に、対象としている画像表示装置の位置（位置情報で示される緯度・経度）が存在する場合に、当該配信エリアは、対象としている画像表示装置の位置を含むと判断する。なお、このような処理を行うために、広告配信装置２０自身が地図情報を記憶手段に保持し、保持した地図情報を用いることとしてもよい。
【００３６】
また、広告情報格納部２５に格納する配信エリア情報として、エリア名でなく、配信位置（緯度・経度）と、配信範囲（半径Xメートル等）を設定してもよく、この場合、地図サーバや地図情報を用いることなく、配信位置を中心とする配信範囲の半径を持つ円の範囲内に、対象としている画像表示装置の位置（位置情報で示される緯度・経度）が存在するか否かを判断できる。
【００３７】
そして、広告情報配信部２３は、ステップ２２での照合処理により、対象としている画像表示装置の位置を含むと判断された配信エリア情報のレコードにある広告情報（本例では、広告画像）を広告情報格納部２５から取得する（ステップ２３）。そして、ステップ２１で取得した装置識別子で特定される画像表示装置（図７の例では画像表示装置１０）に、通信ネットワーク５を介して広告情報を送信する（ステップ２４）。広告情報を受信した画像表示装置１０は、広告情報を表示する（ステップ２５）。
【００３８】
上記のような処理が、画像表示装置情報格納部２４に格納されたレコード毎に行われることになる。もちろん、画像表示装置毎に配信時刻を設定しておき、配信時刻になった場合に、該当の画像表示装置に対して、広告情報を送信するための処理を行う場合には、設定した配信時刻毎に、該当の画像表示装置に対して上記の処理が行われる。
【００３９】
なお、上記のような処理に代えて、まず、広告情報格納部２５から、１つのレコードの配信エリア情報と広告情報を取得し、当該配信エリア情報が示すエリアの範囲内に位置する画像表示装置の装置識別子を画像表示装置情報格納部２４から取得し、上記広告情報を、当該装置識別子の画像表示装置に送信する処理を、広告情報毎に行う処理を行ってもよい。この場合の処理を図８のシーケンスチャートを参照して説明する。
【００４０】
まず、広告情報配信部２３は、広告情報格納部２５から、１つのレコードの配信エリア情報と広告情報を取得する（ステップ３１）。そして、当該配信エリア情報と、画像表示装置情報格納部２４に格納されている各位置情報との照合を行うことにより、当該配信エリア情報が示すエリアの範囲内に位置する画像表示装置を検索する（ステップ３２）。ここでの照合処理自体は、前述した方法と同様にして、地図サーバ等を参照することにより行われる。
【００４１】
そして、広告情報配信部２３は、上記の照合処理により特定された画像表示装置の装置識別子を画像表示装置情報格納部２４から取得し（ステップ３３）、ステップ３１において取得しておいた広告情報を、当該装置識別子で特定される画像表示装置１０に送信する（ステップ３４）。画像表示装置１０において広告が表示される（ステップ３５）。
【００４２】
上記の処理が、広告情報格納部２５における各レコードで行われることになる。
【００４３】
（変形例１）  
これまでに説明した実施の形態では、画像表示装置情報格納部２４に格納する情報、及び広告情報格納部２５に格納する情報として、図４及び図５に示す例を説明したが、画像表示装置情報格納部２４に格納する情報、及び広告情報格納部２５に格納する情報には種々のバリエーションがある。ここでは、種々のバリエーションのうちの３つの例を説明する。
【００４４】
第１の例における画像表示装置情報格納部２４に格納される情報の例を図９に示し、広告情報格納部２５に格納される情報の例を図１０に示す。
【００４５】
第１の例では、画像表示装置１０の位置情報として、緯度・経度からなる位置情報を通信ネットワークから取得する代わりに、エリアを示すIDを取得する場合を想定している。図９に示すように、本例における位置は、大きな範囲のエリアを特定するIDと、当該IDで特定されるエリア内で細分化されたエリアを特定するサブIDとにより識別される。これらのIDとサブIDは、例えば、通信ネットワーク５上に備えられた所定の装置内に、基地局情報と対応付けて保持され、画像表示装置１０は、起動時等に、自身が属する基地局１に対応するIDとサブIDを取得し、広告配信装置２０に通知することができる。
【００４６】
また、本例では、図１０に示すように、広告情報格納部２５における配信エリア情報として上記IDとサブIDが格納される。
【００４７】
本例での広告配信のための処理の基本的な流れは、図７、図８に示した処理と同じである。ただし、本例では、位置情報と配信エリア情報との照合処理をIDとサブIDを用いて行う。すなわち、広告情報配信部２３は、位置情報であるID及びサブIDと、配信エリア情報であるID及びサブIDとが一致した場合に、当該位置情報は、広告情報の配信エリアに存在していると判断する。
【００４８】
例えば、図９と図１０の例において、装置識別子Aの画像表示装置の位置情報は、広告画像１と広告画像２のそれぞれの配信エリア情報と一致するから、装置識別子Aの画像表示装置には、広告画像１と広告画像２が配信される。
【００４９】
このように、位置情報としてエリアのIDを用いることにより、位置情報の照合処理を簡略化することが可能になる。
【００５０】
第２の例は、広告情報として、広告画像のみでなく、広告文書も格納する例である。本例において広告情報格納部２５に格納される情報の例を図１１に示す。図１１は、図１０の例に基づくものであるが、もちろん、広告文書を広告情報として含めることは他の例にも適用できる。
【００５１】
本例のように、広告情報として、広告画像と広告文書を格納することにより、広告情報配信部２３は、広告画像と広告文書を画像表示装置１０に配信でき、画像表示装置１０では、広告画像とともに広告文書を表示できる。
【００５２】
第３の例は、格納部に格納する情報として、カテゴリを示すキーワードを含める例である。図１２に、第３の例において画像表示装置情報格納部２４に格納される情報の例を示し、図１３に、第３の例において広告情報格納部２５に格納される情報の例を示す。
【００５３】
画像表示装置情報格納部２４に格納されるキーワードは、例えば、ユーザが、画像表示装置１０内に予め設定（記憶手段に格納）しておき、装置識別子と位置情報を広告配信装置２０に通知するタイミングで、これらの情報と共に広告配信装置２０に送信し、広告配信装置２０において画像表示装置情報格納部２４に格納することとしてよい。また、上記のタイミングと異なる任意のタイミングで、画像表示装置１０のユーザが、画像表示装置１０にカテゴリの情報を入力し、画像表示装置１０から当該キーワードを装置識別子とともに広告配信装置２０に送信し、広告配信装置２０において画像表示装置情報格納部２４に格納することとしてよい。
【００５４】
広告情報格納部２５に格納されるカテゴリのキーワードは、広告情報格納部２５に格納される他の情報と同様にして予め格納されるものである。
【００５５】
本例では、画像表示装置の位置が、配信エリアの範囲にある場合でも、画像表示装置のキーワードに、配信エリアに対応するキーワードと一致するものが１つもない場合、広告配信は行われない。また、画像表示装置の位置が、配信エリアの範囲にある場合において、画像表示装置のキーワードに、配信エリアに対応するキーワードのうちの少なくとも１つが含まれる場合には、広告配信が行われる。
【００５６】
例えば、図１２と図１３の例において、装置識別子Aの画像表示装置の位置が、エリア１に含まれる場合であっても、ショップBのキーワードは、装置識別子Aの画像表示装置のキーワードに含まれていないので、広告画像２は、装置識別子Aの画像表示装置には配信されない。一方、ショップAのキーワードは、装置識別子Aの画像表示装置のキーワードに含まれているので、広告画像１は、装置識別子Aの画像表示装置に配信される。
【００５７】
このように、キーワードを登録することにより、画像表示装置１０のユーザは、近隣エリアであって、なおかつ、自分が欲している広告情報を閲覧できる。
【００５８】
（変形例２）  
これまでに説明した例では、画像表示装置１０は、通信ネットワーク５から位置情報を取得し、それを広告配信装置２０に通知することとしていたが、このような処理を行うことに代えて、画像表示装置１０が、GPS装置を備えることにより、画像表示装置１０がGPS装置を用いて自分の位置情報を取得し、それを装置識別子とともに広告配信装置２０に送り、広告配信装置２０が、当該位置情報と装置識別子とを画像表示装置情報格納部２４に格納するようにしてもよい。
【００５９】
この例における画像表示装置１０の機能構成図を図１４に示す。図１４に示すとおり、本例での画像表示装置１０は、通信機能部１１、データ格納部１２、表示制御部１３、及び表示部１４に加えて、GPS装置１５を備える。GPS装置１５は、GSP衛星からGPS測位情報を受信し、受信した情報から自分の位置情報（緯度・経度）を算出する装置である。
【００６０】
本例において、画像表示装置１０は、定期的に、GPS装置１５が取得した位置情報と装置識別子とを広告配信装置２０に送信し、広告配信装置２０ではその都度位置情報を更新することとしてもよいし、画像表示装置１０が、広告配信装置２０に位置情報を送信した時点から、予め定めた距離だけ移動したことを検知した場合に、広告配信装置２０に、移動後の位置情報と装置識別子を送信し、そのときに、広告配信装置２０が、位置情報の更新を行うこととしてもよい。本例での広告配信のための処理は、図７、図８を参照して説明した処理と同じである。
【００６１】
（変形例３）  
次に、変形例３を説明する。変形例３におけるシステム構成を図１５に示す。図１５に示すように、変形例３における広告配信システムは、図１を参照して説明した例に、画像処理装置３０が追加されたシステムである。
【００６２】
変形例３では、端末装置４０（携帯電話機、PC端末等）から、画像表示装置１０を宛先として（すなわち、画像表示装置１０の装置識別子を指定して）、カメラで撮影した写真（デジタル写真）が送信され、当該写真が画像処理装置３０を介して画像表示装置１０に送信されるとともに、画像処理装置３０が、写真の画像を解析し、解析結果に基づき抽出したキーワード（リコメンドキーワード）を広告配信装置２０に提供し、広告配信装置２０が当該キーワードを、該当の装置識別子に対応付けて、画像表示装置情報格納部２４に格納する。
【００６３】
図１６に、画像処理装置３０の機能構成図を示す。図１６に示すように、画像処理装置３０は、データ送受信部３１、写真転送部３２、画像解析部３３、及びデータ格納部３４を備える。データ送受信部３１は、通信ネットワーク５を介してデータ通信を行うための機能部である。写真転送部３２は、端末装置４０から受信した写真を、当該写真の宛先を示す装置識別子と対応付けてデータ格納部３４に格納するとともに、当該写真を、当該装置識別子により特定される画像表示装置１０に対して、通信ネットワーク５を介して送信する。
【００６４】
画像解析部３３は、データ格納部３４に格納された写真に対して画像解析を行い、解析結果に対応するキーワードを決定し、それを、解析対象の写真に対応する装置識別子とともに、通信ネットワーク５を介して広告配信装置２０に送信する。
【００６５】
なお、画像処理装置３０と広告配信装置２０との間を、LAN等のローカルネットワークで接続し、当該ローカルネットワークを介してキーワードの送受信を行ってもよい。また、広告配信装置２０と画像処理装置３０とを１つの装置で構成してもよい。すなわち、この場合、広告配信装置２０が、図３に示す構成に加えて、写真転送部３２と、画像解析部３３と、データ格納部３４を備える。
【００６６】
画像解析部３３が実行する画像解析処理は、写真に写っている人物、風景、対象物体、色等を判別できる画像認識処理である。例えば、画像解析部３３は、写真の被写体が子供であり、ピンクの服を着て、帽子をかぶっていることを認識した場合、当該写真に関するキーワードとして子供、ピンク、帽子等のキーワードを取得できる。また、例えば、被写体が風景であれば、山、海、雪、川等のキーワードを取得できる。また、例えば、被写体が物であれば、車、電車等のキーワードを取得できる。なお、画像解析部３３における被写体認識、シーン識別のための技術には様々な既存技術があり、本例では、これらの既存技術を適用できる。
【００６７】
次に、図１７に示すシーケンスチャートを参照して、変形例３における広告配信システムの動作を説明する。
【００６８】
まず、端末装置４０が、画像表示装置１０の装置識別子を指定することにより、画像表示装置１０を宛先として写真を送信する（ステップ４１）。送信された写真は、画像処理装置３０が受信する。
【００６９】
写真を受信した画像処理装置３０は、装置識別子と写真とをデータ格納部３４に格納した後（ステップ４２）、写真を画像表示装置１０に送信する（ステップ４３）。写真を受信した画像表示装置では、適宜、その写真を表示することができる。
【００７０】
一方、画像処理装置３０における画像解析部３３は、データ格納部３４に格納された写真の画像解析を行い、キーワードを取得する（ステップ４４）。そして、画像解析部３３は、データ送受信部３１を介して、当該キーワードと、解析対象となった写真に対応する装置識別子とを広告配信装置２０に送信する（ステップ４５）。
【００７１】
キーワードと装置識別子とを受信した広告配信装置２０において、画像表示装置情報取得部２２が、キーワードと装置識別子を取得し、当該キーワードを、当該装置識別子に対応付けて画像表示装置情報格納部２４に格納する（ステップ４６）。本例において、画像表示装置情報格納部２４に格納される情報の例を図１８に示す。また、本例において、広告情報格納部２５に格納される情報の例を図１９に示す。図１９に示すように、本例では、広告情報格納部２５には、広告キーワードが格納されている。
【００７２】
その後、広告配信装置２０は、配信エリアの判断、及び、変形例１の第３の例で説明した処理と同様のキーワードを用いた判断を行って、配信エリア及び広告キーワードに対応する画像表示装置１０に広告情報を配信する（ステップ４７）。
【００７３】
変形例４では、写真を用いて自動的にキーワードを抽出し、登録するので、ユーザの手間をかけることなく、ユーザの好みに応じて広告配信を実現することが可能となる。
【００７４】
（変形例４）
次に、変形例４を説明する。変形例４は、ユーザが画像表示装置１０にキーワードを入力することにより、画像表示装置１０からキーワードを広告配信装置２０に送信し、広告配信装置に格納する例である。
【００７５】
変形例４においては、画像表示装置１０の表示制御部１３が、例えば図２０に示すような入力フォームを表示部１４に表示し、入力フォームからの文字入力を可能とする。文字の入力方法としては、図２０に示すように、表示制御部１３がタッチパネル式キーボード画像を表示し、ユーザが表示部１４をタッチすることにより入力する方式としてもよいし、画像表示装置１０のリモコンを用いて文字入力を行うこととしてもよい。
【００７６】
入力されたキーワードは、装置識別子とともに広告配信装置２０に送られ、変形例１の第３の例で示した例（図１２）と同様の形式で、画像表示装置情報格納部２４に格納される。キーワードを使用した場合の広告情報配信処理は変形例１の第３の例で示した例と同様である。
【００７７】
また、本例では、図２０に示したように、キーワードとして距離を入力した場合に、広告配信装置２０における広告情報配信部２３が、当該画像表示装置１０の位置に該当する配信エリアとして、当該位置（位置情報）から当該距離（キーワードとして入力された距離）の範囲（円形の範囲）の点を含む配信エリアを広告情報格納部２５から検索し、検索された配信エリアに対応する広告情報を画像表示装置１０に送信する制御を行うことが可能である。
【００７８】
この例において、画像表示装置情報格納部２４に格納される情報の例を図２１に示す。図２１に示す例では、装置識別子Aの画像表示装置１０の位置情報が示す位置から５キロメートルの範囲にある配信エリアであって、キーワードとして"映画"を有する配信エリアに対応する広告情報が、装置識別子Aの画像表示装置１０に配信されることになる。
【００７９】
（変形例５）
次に、変形例５を説明する。変形例５では、図２２に示すように、画像表示装置１０上において、表示制御部１３は、表示部１４に広告を表示するときに、その広告の要否を選択可能なボタン（タッチパネル式ボタン）を表示する。
【００８０】
上記のように、タッチパネル式ボタンを表示することに代えて、画像表示装置１０が要否に相当する２つのボタン（ハードウェアとしてのボタン）を備えてもよい。また、画像表示装置１０リモコン上で、要否の相当するボタンを操作することとしてもよい。
【００８１】
本例では、広告配信装置２０は、広告情報を画像表示装置１０に送信するときに、広告情報の中に、当該広告情報に対応する広告配信元識別情報を含めて送信しており、画像表示装置１０は、広告を表示するとともに、広告配信元識別情報を保持している。
【００８２】
そして、画像表示装置１０において、ユーザが要否ボタンを押したときに、画像表示装置１０は、要否の情報、画像表示装置１０の装置識別子、及び、表示されている広告に対応する広告配信元識別情報を広告配信装置２０に送信する。
【００８３】
上記情報を受信した広告配信装置２０において、画像表示装置情報取得部２２は、受信した情報を画像表示装置情報格納部２４に格納する。本例において、画像表示装置情報格納部２４に格納される情報の例を図２３に示す。図２３に示すように、広告配信元識別情報、及び、要否の情報が、ユーザデータとして格納される。図２３の例では、要否の情報が"要"の場合に、当該広告配信元に対して星印が付されるものとしている。
【００８４】
このような情報を画像表示装置情報格納部２４に格納することにより、広告配信装置２０における広告情報配信部２３は、例えば、装置識別子Aの画像表示装置１０に対し、配信エリアに該当する広告情報であっても、星印が付いていない広告配信元の広告情報を送らない制御や、星印が所定個数以上付いている広告配信元の広告情報については、頻繁に広告情報を配信する等の制御を行うことができる。
【００８５】
（実施の形態の効果）
本発明の実施の形態として説明した技術によれば、通信機能を搭載したデジタルフォトフレーム等の画像表示装置に対して近隣広告の情報をPUSH配信でき、ユーザの利便性が向上するとともに広告配信者も紙資源の節約・ポスティング人員の削減、広告のための特別なコンテンツ開発の削減が出来る。
【００８６】
また、広告配信装置にユーザが関心を持っているキーワード等を登録しておくことで、ユーザの欲しい情報のみ受けとるなど汎用性を広げることが可能である。
【００８７】
本発明は、上記の実施の形態に限定されることなく、特許請求の範囲内において、種々変更・応用が可能である。
【符号の説明】
【００８８】
１  基地局
２  基地局制御装置
３  交換機
５  通信ネットワーク
１０  画像表示装置
１１  通信機能部
１２  データ格納部
１３  表示制御部
１４  表示部
１５  GPS装置
２０  広告配信装置
２１  データ送受信部
２２  画像表示装置情報取得部
２３  広告情報配信部
２４  画像表示装置情報格納部
２５  広告情報格納部
３０  画像処理装置
３１  データ送受信部
３２  写真転送部
３３  画像解析部
３４  データ格納部
４０  端末装置
【図１】
2011247914.tif 000003
【図２】
2011247914.tif 000004
【図３】
2011247914.tif 000005
【図４】
2011247914.tif 000006
【図５】
2011247914.tif 000007
【図６】
2011247914.tif 000008
【図７】
2011247914.tif 000009
【図８】
2011247914.tif 000010
【図９】
2011247914.tif 000011
【図１０】
2011247914.tif 000012
【図１１】
2011247914.tif 000013
【図１２】
2011247914.tif 000014
【図１３】
2011247914.tif 000015
【図１４】
2011247914.tif 000016
【図１５】
2011247914.tif 000017
【図１６】
2011247914.tif 000018
【図１７】
2011247914.tif 000019
【図１８】
2011247914.tif 000020
【図１９】
2011247914.tif 000021
【図２０】
2011247914.tif 000022
【図２１】
2011247914.tif 000023
【図２２】
2011247914.tif 000024
【図２３】
2011247914.tif 000025